(57)【特許請求の範囲】
【請求項１】
コンテンツを複数のセグメントに分割し、セグメント単位でコンテンツをクライアント装置に配信する配信システムのサーバ装置であって、
前記配信システムは、クライアント装置と無線通信する第１の無線通信装置と、クライアント装置に無線信号を送信する第２の無線通信装置を有し、
前記サーバ装置は、
公開するコンテンツの１つ以上のセグメントを保持する保持手段と、
クライアント装置から取得対象のセグメントを示す要求信号を前記第１の無線通信装置経由で受信すると、当該セグメントを当該第１の無線通信装置に向けて送信し、当該セグメントと同じコンテンツの１つ以上のセグメントを選択し、選択したセグメントを前記第２の無線通信装置に向けて送信する様に制御する制御手段と、
を備え、
前記セグメントには番号が付与されており、
前記制御手段が選択するセグメントは、前記要求信号で示されたセグメントの番号とは異なる番号のセグメントであることを特徴とするサーバ装置。
【請求項２】
保持手段が保持するコンテンツは、複数のグループに分割され、各グループは複数のセグメントを含み、
前記制御手段が選択するセグメントは、前記要求信号で示されたセグメントのグループとは異なるグループに含まれるセグメントであることを特徴とする請求項１に記載のサーバ装置。
【請求項３】
コンテンツを複数のセグメントに分割し、セグメント単位でコンテンツをクライアント装置に配信する配信システムのサーバ装置であって、
前記配信システムは、クライアント装置と無線通信する複数の第１の無線通信装置と、クライアント装置に無線信号を送信する複数の第２の無線通信装置を有し、
前記複数の第１の無線通信装置のそれぞれは、１つ以上の第２の無線通信装置と関連づけられ、
前記サーバ装置は、
公開するコンテンツの１つ以上のセグメントを保持する保持手段と、
クライアント装置から取得対象のセグメントを示す要求信号を第１の無線通信装置経由で受信すると、当該セグメントを当該第１の無線通信装置に向けて送信し、当該セグメントと同じコンテンツの１つ以上のセグメントを選択し、選択したセグメントを当該第１の無線通信装置と関連付けられた第２の無線通信装置に向けて送信する様に制御する制御手段と、
を備えていることを特徴とするサーバ装置。
【請求項４】
前記複数の第１の無線通信装置のそれぞれは、複数の第２の無線通信装置と関連づけられ、
前記制御手段は、前記要求信号を第１の無線通信装置経由で受信すると、当該第１の無線通信装置と関連付けられた複数の第２の無線通信装置のそれぞれに同じセグメントを送信することを特徴とする請求項３に記載のサーバ装置。
【請求項５】
前記複数の第１の無線通信装置のそれぞれは、複数の第２の無線通信装置と関連づけられ、
前記制御手段は、前記要求信号を第１の無線通信装置経由で受信すると、当該第１の無線通信装置と関連付けられた複数の第２の無線通信装置のそれぞれに異なるセグメントを送信することを特徴とする請求項３に記載のサーバ装置。
【請求項６】
前記複数の第１の無線通信装置のそれぞれは、複数の第２の無線通信装置と関連づけられ、
前記要求信号には位置情報が含まれ、
前記制御手段は、前記要求信号を第１の無線通信装置経由で受信すると、セグメントを送信する第２の無線通信装置を、当該第１の無線通信装置と関連付けられた複数の第２の無線通信装置から前記位置情報に基づき選択することを特徴とする請求項３に記載のサーバ装置。
【請求項７】
前記複数の第１の無線通信装置のそれぞれは、複数の第２の無線通信装置と関連づけられ、
複数の第２の無線通信装置はその識別子を無線信号で報知し、
前記制御手段は、前記要求信号を第１の無線通信装置経由で受信すると、クライアント装置が送信する前記識別子により当該クライアント装置がその通信範囲を通過した第２の無線通信装置を当該第１の無線通信装置と関連付けられた複数の第２の無線通信装置から判定し、判定した第２の無線通信装置にセグメントを送信することを特徴とする請求項３に記載のサーバ装置。
【請求項８】
請求項１から７のいずれか１項に記載のサーバ装置としてコンピュータを機能させることを特徴とするプログラム。
【請求項９】
コンテンツを複数のセグメントに分割し、セグメント単位でコンテンツをクライアント装置に配信するコンテンツ配信システムであって、
公開するコンテンツの１つ以上のセグメントを保持するサーバ装置と、
クライアント装置と無線通信する第１の無線通信装置と、
クライアント装置に無線信号を送信する第２の無線通信装置と、
を備えており、
前記サーバ装置は、
クライアント装置から取得対象のセグメントを示す要求信号を前記第１の無線通信装置経由で受信すると、当該セグメントを前記第１の無線通信装置に向けて送信し、当該セグメントと同じコンテンツの１つ以上のセグメントを選択し、選択したセグメントを前記第２の無線通信装置に向けて送信し、
前記第１の無線通信装置は、前記サーバ装置に送信した前記要求信号の応答として前記サーバ装置から受信するセグメントを前記要求信号の送信元のクライアント装置に送信し、
前記第２の無線通信装置は、前記サーバ装置から受信するセグメントを無線信号で送信し、
前記セグメントには番号が付与されており、
前記サーバ装置が選択するセグメントは、前記要求信号で示されたセグメントの番号とは異なる番号のセグメントであることを特徴とするコンテンツ配信システム。
【請求項１０】
コンテンツを複数のセグメントに分割し、セグメント単位でコンテンツをクライアント装置に配信するコンテンツ配信システムであって、
公開するコンテンツの１つ以上のセグメントを保持するサーバ装置と、
クライアント装置と無線通信する複数の第１の無線通信装置と、
クライアント装置に無線信号を送信する複数の第２の無線通信装置と、
を備えており、
前記複数の第１の無線通信装置のそれぞれは、１つ以上の第２の無線通信装置と関連づけられ、
前記サーバ装置は、
クライアント装置から取得対象のセグメントを示す要求信号を第１の無線通信装置経由で受信すると、当該セグメントを当該第１の無線通信装置に向けて送信し、当該セグメントと同じコンテンツの１つ以上のセグメントを選択し、選択したセグメントを当該第１の無線通信装置と関連付けられた第２の無線通信装置に向けて送信し、
前記第１の無線通信装置は、前記サーバ装置に送信した前記要求信号の応答として前記サーバ装置から受信するセグメントを前記要求信号の送信元のクライアント装置に送信し、
前記第２の無線通信装置は、前記サーバ装置から受信するセグメントを無線信号で送信することを特徴とする無線通信システム。
【発明の詳細な説明】
【技術分野】
【０００１】
本開示は、異なる種類の無線アクセス・システムを使用するコンテンツ配信技術に関する。
【背景技術】
【０００２】
非特許文献１は、ゲートと呼ぶアクセスポイント装置と携帯端末が、ミリ波帯の周波数で通信する無線アクセス・システムを提案している。非特許文献１が提案しているシステムはミリ波帯を使用しているため、ゲートの通信範囲は狭いものの、既存の無線ＬＡＮや、３ＧＰＰ規格によるＬＴＥ等の移動通信網より高速な通信を携帯端末との間で行うことができる。
【０００３】
また、異なる種類の複数の無線アクセス・システムを選択するために非特許文献２は、アクセスネットワーク発見及び選択機能（ＡＮＤＳＦ）を開示している。また、非特許文献３は、複数のアクセス・システム経由で同時に複数のセッションを確立するプロトコルを提案している。さらに、クライアント装置がコンテンツをダウンロードするまでにかかる時間を短縮するために、非特許文献４及び５は、それぞれ、ネットワーク側でコンテンツをキャッシュするコンテンツ・デリバリ・ネットワーク（ＣＤＮ）及びコンテンツ・セントリック・ネットワーク（ＣＣＮ）を開示している。
【先行技術文献】
【非特許文献】
【０００４】
【非特許文献１】Ｍ．Ｚｈａｎｇ，  ｅｔ  ａｌ．，"Ｗａｖｅｇｕｉｄｅ  ｓｌｏｔ  ａｎｔｅｎｎａｓ  ｗｉｔｈ  ｄｉｆｆｅｒｅｎｔ  ａｐｅｒｔｕｒｅ  ｓｉｚｅｓ  ｄｅｖｅｌｏｐｅｄ  ｆｏｒ  ｔｈｅ  ＭＭＷ  ｓｈｏｒｔ  ｒａｎｇｅ  ｗｉｒｅｌｅｓｓ  ａｃｃｅｓｓ  ｇａｔｅ  ｓｙｓｔｅｍ"，  ２０１２  Ｉｎｔｅｒｎａｔｉｏｎａｌ  Ｓｙｍｐｏｓｉｕｍ  ｏｎ  Ａｎｔｅｎｎａｓ  ａｎｄ  Ｐｒｏｐａｇａｔｉｏｎ（ＩＳＡＰ），ｐｐ.２５９−２６２，２０１２年１０月
【非特許文献２】"Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ（ＡＮＤＳＦ）  Ｍａｎａｇｅｍｅｎｔ  Ｏｂｊｅｃｔ（ＭＯ）"，  ３ＧＰＰ  ＴＳ  ２４．３１２
【非特許文献３】"Ｓｔｒｅａｍ  Ｃｏｎｔｒｏｌ  Ｔｒａｎｓｍｉｓｓｉｏｎ  Ｐｒｏｔｏｃｏｌ"，ＩＥＴＦ  ＲＦＣ４９６０
【非特許文献４】Ｍ．Ｒａｂｉｎｏｖｉｃｈ，  ｅｔ  ａｌ．，"Ｗｅｂ  Ｃａｃｈｉｎｇ  ａｎｄ  Ｒｅｐｌｉｃａｔｉｏｎ"，Ａｄｄｉｓｏｎ  Ｗｅｓｌｅｙ，２００２年
【非特許文献５】Ｖ．Ｊａｃｏｂｓｏｎ，ｅｔ  ａｌ．，"Ｎｅｔｗｏｒｋｉｎｇ  Ｎａｍｅｄ  Ｃｏｎｔｅｎｔ"，ｉｎ  Ｐｒｏｃｅｅｄｉｎｇｓ  ｏｆ  ＡＣＭ  ＣｏＮＥＸＴ  ２００９，２００９年１２月
【発明の概要】
【発明が解決しようとする課題】
【０００５】
無線ＬＡＮ等の第１の無線アクセス・システムと、第１の無線アクセス・システムより通信範囲は狭いが高速通信が可能な、非特許文献１に記載されている第２の無線アクセス・システムを切り替えながら使用してコンテンツを取得することを考える。より具体的には、第１の無線アクセス・システムしか使用できない場合には、第１の無線アクセス・システムを使用してコンテンツを取得し、第２の無線アクセス・システムの通信範囲内に進入すると、第２の無線アクセス・システムを使用してコンテンツを取得することを考える。
【０００６】
非特許文献１に記載のゲートは、通信範囲が大変狭く、通常の、無線ＬＡＮと移動通信網との切り替えを適用すると、切り替えを行っている間に、ゲートの通信範囲を通り抜ける場合が生じ得る。
【０００７】
本発明は、異なる種類の無線アクセス・システムを使用する場合において効率的にコンテンツを配信するためのコンテンツ配信システム、サーバ装置及びプログラムを提供するものである。
【課題を解決するための手段】
【０００８】
本発明の一側面によると、コンテンツを複数のセグメントに分割し、セグメント単位でコンテンツをクライアント装置に配信する配信システムのサーバ装置であって、前記配信システムは、クライアント装置と無線通信する第１の無線通信装置と、クライアント装置に無線信号を送信する第２の無線通信装置を有し、前記サーバ装置は、公開するコンテンツの１つ以上のセグメントを保持する保持手段と、クライアント装置から取得対象のセグメントを示す要求信号を前記第１の無線通信装置経由で受信すると、当該セグメントを当該第１の無線通信装置に向けて送信し、当該セグメントと同じコンテンツの１つ以上のセグメントを選択し、選択したセグメントを前記第２の無線通信装置に向けて送信する様に制御する制御手段と、を備え、前記セグメントには番号が付与されており、前記制御手段が選択するセグメントは、前記要求信号で示されたセグメントの番号とは異なる番号のセグメントであることを特徴とする。
【０００９】
本発明の一側面によると、コンテンツを複数のセグメントに分割し、セグメント単位でコンテンツをクライアント装置に配信するコンテンツ配信システムは、公開するコンテンツの１つ以上のセグメントを保持するサーバ装置と、クライアント装置と無線通信する第１の無線通信装置と、クライアント装置に無線信号を送信する第２の無線通信装置と、を備えており、前記サーバ装置は、クライアント装置から取得対象のセグメントを示す要求信号を前記第１の無線通信装置経由で受信すると、当該セグメントを前記第１の無線通信装置に向けて送信し、当該セグメントと同じコンテンツの１つ以上のセグメントを選択し、選択したセグメントを前記第２の無線通信装置に向けて送信し、前記第１の無線通信装置は、前記サーバ装置に送信した前記要求信号の応答として前記サーバ装置から受信するセグメントを前記要求信号の送信元のクライアント装置に送信し、前記第２の無線通信装置は、前記サーバ装置から受信するセグメントを無線信号で送信し、前記セグメントには番号が付与されており、前記サーバ装置が選択するセグメントは、前記要求信号で示されたセグメントの番号とは異なる番号のセグメントであることを特徴とする。
【発明の効果】
【００１０】
効率的にコンテンツを取得できる。
【図面の簡単な説明】
【００１１】
【図１】一実施形態による２つの無線アクセス・システムの関係の説明図。
【図２】一実施形態によるコンテンツ配信システムの構成図。
【図３】一実施形態によるコンテンツ配信のシーケンス図。
【図４】一実施形態によるコンテンツのセグメントとブロックの関係を示す図。
【図５】一実施形態によるサーバ装置の構成図。
【図６】一実施形態によるゲート装置の構成図。
【図７】一実施形態によるクライアント装置の構成図。
【発明を実施するための形態】
【００１２】
以下、本発明の例示的な実施形態について図面を参照して説明する。なお、以下の各図においては実施形態の説明に必要ではない構成要素については図から省略する。また、以下の実施形態は例示であり本発明を実施形態の内容に限定するものではない。
【００１３】
図１は、本実施形態の２つの無線アクセス・システムの関係を説明する図である。アクセスポイント装置（ＡＰ）１は、例えば、無線ＬＡＮ規格に従う無線信号によりクライアント装置と通信する無線通信装置であり、符号１１で示す範囲をその通信範囲とする。ゲート装置２は、ミリ波帯等の無線信号によりクライアント装置と通信する無線通信装置であり、その通信速度はＡＰ１より速い。なお、各ゲート装置２は、ＡＰ１と関連付けられ、符号２１で示す範囲を通信範囲とする。ここで、ゲート装置２の通信範囲２１は、関連するＡＰ１の通信範囲１１と重複部分を持つ。したがって、図示しないクライアント装置は、通信範囲１１内において、常に、ＡＰ１経由で通信が可能であり、さらに、通信範囲１１内の一部において、ゲート装置２経由で信号の受信が可能である。なお、以下の説明では、ＡＰ１を無線ＬＡＮ規格に従う装置とするが、３ＧＰＰ等の移動通信規格に従う装置であっても良い。
【００１４】
図２は、本実施形態のシステム構成図である。サーバ装置３は、ネットワーク５経由で配信するコンテンツを公開する通信装置である。なお、本実施形態においては、非特許文献５に記載されたコンテンツ・セントリック・ネットワーク（ＣＣＮ）の様に、コンテンツを１つ以上のセグメントに分割して配信を行う。より具体的には、クライアント装置４は、コンテンツのセグメントを示す要求信号（非特許文献５のインタレスト・パケット）を送信し、セグメント単位でコンテンツを取得する。
【００１５】
また、クライアント装置４は、ＡＰ１経由でネットワーク５のサーバ装置３と通信可能である。なお、クライアント装置４は、ＡＰ１経由で通信しながら、ゲート装置２から信号を受信できる様に構成されている。したがって、図２の実線で示す様に、クライアント装置４は、ＡＰ１の通信範囲１１内であるが、ゲート装置２の通信範囲２１外にある間は、ＡＰ１経由でのみ信号の送受信を行い、ＡＰ１の通信範囲１１内で、かつ、ゲート装置２の通信範囲２１内に進入すると（図２の点線）、ＡＰ１経由で信号の送受信を行うと共に、ゲート装置２から信号を受信する。
【００１６】
図３は、本実施形態によるコンテンツ配信を説明するための例示的なシーケンス図である。なお、図３の例において、サーバ装置３は、公開するコンテンツ＃１を、６つのセグメントに分割して配信するものとする。また、後述する様に、クライアント装置４は、コンテンツの取得処理を行う制御部１３と、ゲート装置２から取得したセグメントをキャッシュするキャッシュ部１４とを備えている。なお、シーケンスの開始時において、キャッシュ部１４はセグメントを１つもキャッシュしていないものとする。
【００１７】
まず、制御部１３は、Ｓ１で、番号１のセグメントをキャッシュ部１４に要求する。しかしながら、キャッシュ部１４は、番号１のセグメントを保持していないため、コンテンツを保持していないことを制御部１３に通知する。制御部１３は、キャッシュ部１４が番号１のセグメントを保持していないことから、ＡＰ１経由で、サーバ装置３に番号１のセグメントを要求する要求信号を送信し、サーバ装置３は、要求された番号１のセグメントをＡＰ１経由でクライアント装置４に送信する。また、サーバ装置３は、ＡＰ１経由で、要求信号を受信したことから、Ｓ２で、ＡＰ１に関連付けられた総てのゲート装置２に、所定の判断基準に従い選択したセグメントを送信し、ゲート装置２は、サーバ装置３から受信したセグメントを保持する。なお、本例では、コンテンツ＃１の番号４から６のセグメントをゲート装置２に送信するものとする。また、ゲート装置２は受信した番号４から６のセグメントを繰り返し無線信号で送信する。
【００１８】
制御部１３は、Ｓ３で、番号２のセグメントをキャッシュ部１４に要求するが、キャッシュ部１４は、番号２のセグメントを保持していないため、Ｓ１と同様に、サーバ装置３から番号２のセグメントを取得する。なお、本例では、Ｓ３の処理後、クライアント装置４は、いずれかのゲート装置２の通信範囲内に進入したものとする。ゲート装置２は、番号４から６のセグメントを繰り返し無線信号で送信するため、クライアント装置４は、Ｓ４で番号４から６のセグメントを受信し、これらセグメントをキャッシュ部１４にキャッシュする。
【００１９】
その後、制御部１３は、Ｓ５で、番号３のセグメントをキャッシュ部１４に要求するが、キャッシュ部１４は、番号３のセグメントを保持していないため、Ｓ１と同様に、サーバ装置３から番号３のセグメントを取得する。続いて、制御部１３は、Ｓ６で、番号４のセグメントをキャッシュ部１４に要求する。ここで、キャッシュ部１４は、番号４のセグメントを保持しているため、制御部１３は、番号４のセグメントをキャッシュ部１４から取得する。以後、Ｓ６と同様に、制御部１３は、Ｓ７及びＳ８において、番号５及び番号６のセグメントをキャッシュ部１４から取得し、コンテンツ＃１の総てのセグメントを取得する。
【００２０】
本実施形態において、サーバ装置３は、クライアント装置４からコンテンツのセグメントを示す情報を含む要求信号を受信すると、当該要求信号を中継したＡＰ１に関連する総てのゲート装置２に、所定の判断基準に従い選択したセグメントを送信する。このとき、サーバ装置３は、要求信号を中継したＡＰ１に関連する総てのゲート装置２に同じセグメントを送信することも、異なるセグメントを送信することもできる。例えば、サーバ装置３は、要求されたセグメントの番号と異なる番号、例えば、要求されたセグメントの番号より後の番号の任意の数のセグメントをゲート装置２に送信するセグメントとして選択できる。なお、サーバ装置３は、番号が連続する複数のセグメントをブロックとし、ブロックに基づきゲート装置２に送信するセグメントを選択することができる。
【００２１】
図４は、ブロックとセグメントの関係を示す図である。図４においては、セグメントの番号１から順に３つのセグメントを１つのブロックとし、ブロックにも番号を付与している。したがって、あるブロックに含まれるセグメントの最大番号は、そのブロックより番号が大きいブロックに含まれるセグメントの最小番号より小さくなる。サーバ装置３は、あるセグメントが要求された場合、要求されたセグメントを含むブロックとは異なる番号のブロック、例えば、要求されたセグメントを含むブロックの次の番号のブロックから所定数のブロックをゲート装置２に送信するセグメントとして選択することができる。また、ブロックに優先順位を設け、クライアント装置４が、いずれもセグメントを受信していないブロックから、優先順位の順番に所定個のセグメントをゲート装置２に送信するセグメントとして選択することができる。
【００２２】
なお、クライアント装置４が、いずれのゲート装置２の通信範囲内にも進入しなかった場合、クライアント装置４は、総てのセグメントをＡＰ１経由で取得し、ゲート装置２へのセグメントの配信は無駄になるが、ゲート装置２を、人が必ず通過する場所、例えば、通路や出入口等に設けることで、クライアント装置４がゲート装置２からセグメントを取得する確率を高め、よって、平均的なコンテンツの取得時間を短くすることができる。さらに、本実施形態では、クライアント装置４は、配信要求については、常に、ＡＰ１経由で行い、よって、配信要求を行う通信経路の切り替え等を行う必要がない。
【００２３】
また、クライアント装置４が配信要求と共にＧＰＳ等により取得した位置情報を通知し、サーバ装置３は、位置情報から判定したクライアント装置４とゲート装置２との距離に基づき、各ゲート装置２には距離に応じて選択した異なるセグメントを送信する構成とすることもできる。また、ブロックとゲート装置２との対応関係をあらかじめ決めておき、各ゲート装置２には、対応するブロックのセグメントを送信する構成とすることもできる。
【００２４】
なお、上記実施形態では、サーバ装置３は、配信要求を転送したＡＰ１に関連する総てのゲート装置２にセグメントを送信していた。しかしながら、ＡＰ１と関連付けられたゲート装置２が複数の場合には、所定のゲート装置２にのみセグメントを送信することができる。例えば、クライアント装置４が配信要求と共にＧＰＳ等により取得した位置情報を通知し、サーバ装置３は、クライアント装置４の位置から所定範囲内のゲート装置２にのみ選択したセグメントを配信する構成とすることもできる。
【００２５】
また、各ゲート装置２を通路等に沿って配置し、さらに、ゲート装置２は、自装置の識別子をクライアント装置４に通知する構成としておく。そして、クライアント装置４は、その通信範囲内に進入したゲート装置２の識別子をサーバ装置３に通知することで、サーバ装置３は、クライアント装置４がその通信範囲を通過したゲート装置２を判定する。この判定結果から、サーバ装置３は、クライアント装置４が次に通過するゲート装置２を予測し、予測したゲート装置２にセグメントを送信する構成とすることもできる。
【００２６】
図５は、本実施形態によるサーバ装置３の構成図である。保持部３１は、公開するコンテンツをセグメントに分割して保持する。管理部３２は、ＡＰ１とゲート装置２との対応関係や、ゲート装置２の識別子及び設置位置についての情報や、ゲート装置２の通過順に関する制約条件（例えば、ｋ番目のゲート装置２の通信範囲を通過した場合、その次にはｋ−１番目及びｋ＋１番目のゲート装置２の通信範囲を通過できるが、ｋ＋２番目のゲート装置に通信範囲を通過できないといった情報）を保持している。制御部３３は、クライアント装置４から要求信号を受信すると、要求信号を転送したＡＰ１に向けて要求されたセグメントを配信する様に配信部３４を制御し、さらに、所定の判定基準で選択したセグメントを、要求信号を転送したＡＰ１に関連付けられたゲート装置２に送信する。
【００２７】
図６は、本実施形態のゲート装置２の構成図である。通信部２１は、サーバ装置３が送信するセグメントを受信して保持部２２に保持する。制御部２３は、保持部２２が保持するセグメントを無線通信部２４により、繰り返し無線信号により送信する。したがって、クライアント装置４がゲート装置２の通信範囲内に進入すると、当該クライアント装置４は、ゲート装置２が繰り返し報知しているセグメントを受信する。
【００２８】
図７は、本実施形態のクライアント装置４の構成図である。第１通信部１２は、ＡＰ１と通信を行う無線通信インタフェースを含み、第２通信部１５はゲート装置２からの無線信号を受信するための無線通信インタフェースを含む。制御部１３は、要求するセグメントをキャッシュ部１４がキャッシュしていると、キャッシュ部１４から当該セグメントを取得して保持部１１に保持させる。また、制御部１３は、要求するセグメントをキャッシュ部１４がキャッシュしていない場合、第１通信部１２経由でサーバ装置３にセグメントを要求する要求信号を送信し、要求したセグメントを第１通信部１２経由で取得する。なお、取得したセグメントは保持部１１に保持させる。また、第２通信部１５は、ゲート装置２から受信したセグメントをキャッシュ部１４にキャッシュする。さらに、位置取得部１６は、例えば、要求信号に含めるクライアント装置４の位置情報を取得する。
【００２９】
なお、本発明によるサーバ装置３及びクライアント装置４は、コンピュータを上記サーバ装置３及びクライアント装置４として動作させるプログラムにより実現することができる。これらコンピュータプログラムは、コンピュータが読み取り可能な記憶媒体に記憶されて、又は、ネットワーク経由で配布が可能なものである。
【図１】
0006356291.tif 000002
【図２】
0006356291.tif 000003
【図３】
0006356291.tif 000004
【図４】
0006356291.tif 000005
【図５】
0006356291.tif 000006
【図６】
0006356291.tif 000007
【図７】
0006356291.tif 000008